(57)【特許請求の範囲】
【請求項１】
センタ側光回線終端装置と光伝送路を介して接続されるとともに、外部機器と電気信号線を介して接続される加入者宅側光回線終端装置において、
前記外部機器から、当該加入者宅側光回線終端装置の動作モードを示す記憶内容が直接的または間接的に書き換えられることにより、該記憶内容が、前記センタ側光回線終端装置との間で光信号による通信を行う第１の動作モードと、前記光送信部を連続発光させる第２の動作モードとの間で変更可能なメモリと、
前記メモリの記憶内容が書き換えられたことを検出する検出部と、
前記メモリの記憶内容が、前記第１の動作モードから前記第２の動作モードに書き換えられたことが前記検出部によって検出されると、前記光伝送路に光信号を送信する光送信部を連続発光状態にする制御を行う制御部と、
を有することを特徴とする加入者宅側光回線終端装置。
【請求項２】
前記メモリはＩ２Ｃ信号線を介して記憶内容を直接的または間接的に書き換え可能とされていることを特徴とする請求項１に記載の加入者宅側光回線終端装置。
【請求項３】
前記メモリはＩ２Ｃ信号線を介して前記外部機器と直接接続され、前記外部機器から前記メモリの記憶内容を直接書き換え可能とされていることを特徴とする請求項２に記載の加入者宅側光回線終端装置。
【請求項４】
前記メモリはＬＡＮ信号線を介して記憶内容を間接的に書き換え可能とされていることを特徴とする請求項１に記載の加入者宅側光回線終端装置。
【請求項５】
前記制御部は、通常の動作状態において前記検出部により前記メモリの記憶内容が書き換えられたことが検出された場合であっても、前記センタ側光回線終端装置から送信される光信号を検出したときは、前記連続発光状態への遷移を保留することを特徴とする請求項１乃至４のいずれか１項に記載の加入者宅側光回線終端装置。
【請求項６】
前記制御部は、前記連続発光状態において前記センタ側光回線終端装置から送信される光信号を検出すると、前記連続発光状態を終了し、通常の動作状態に遷移する制御を行うことを特徴とする請求項１乃至５のいずれか１項に記載の加入者宅側光回線終端装置。
【発明の詳細な説明】
【技術分野】
【０００１】
本発明は、加入者宅側光回線終端装置に関するものである。
【背景技術】
【０００２】
特許文献１には、例えば、接地線に対して所定の電圧を印加する治具基板が接続されると、内蔵されている半導体スイッチがオンの状態に変化し、評価モードに遷移する加入者宅側光回線終端装置が開示されている。
【先行技術文献】
【特許文献】
【０００３】
【特許文献１】特開２００９−１５９１９９号公報
【発明の概要】
【発明が解決しようとする課題】
【０００４】
ところで、特許文献１に開示されている技術では、評価モードに遷移させるためには、治具基板が必要となるため、例えば、保守時においては治具基板を携行する必要があることから煩雑であるとともに、治具基板製造のコストが高くつくという問題点があった。
【０００５】
そこで、本発明は、治具基板を用いないで評価モードに遷移させることが可能な加入者宅側光回線終端装置を提供することを目的とする。
【課題を解決するための手段】
【０００６】
上記課題を解決するために、本発明は、センタ側光回線終端装置と光伝送路を介して接続されるとともに、外部機器と電気信号線を介して接続される加入者宅側光回線終端装置において、前記外部機器から、当該加入者宅側光回線終端装置の動作モードを示す記憶内容が直接的または間接的に書き換えられることにより、該記憶内容が、前記センタ側光回線終端装置との間で光信号による通信を行う第１の動作モードと、前記光送信部を連続発光させる第２の動作モードとの間で変更可能なメモリと、前記メモリの記憶内容が書き換えられたことを検出する検出部と、前記メモリの記憶内容が、前記第１の動作モードから前記第２の動作モードに書き換えられたことが前記検出部によって検出されると、前記光伝送路に光信号を送信する光送信部を連続発光状態にする制御を行う制御部と、を有することを特徴とする。
このような構成によれば、治具基板を用いないで評価モードに遷移させることが可能となる。
【０００７】
また、他の発明は、上記発明に加えて、前記メモリはＩ２Ｃ信号線を介して記憶内容を直接的または間接的に書き換え可能とされていることを特徴とする。
このような構成によれば、ＭＳＡインタフェースに標準で装備されているＩ２Ｃ信号線を介して記憶内容を直接的または間接的に書き換えることが可能になる。
【０００８】
また、他の発明は、上記発明に加えて、前記メモリはＩ２Ｃ信号線を介して前記外部機器と直接接続され、前記外部機器から前記メモリの記憶内容を直接書き換え可能とされていることを特徴とする。
このような構成によれば、ＭＳＡインタフェースに標準で装備されているＩ２Ｃ信号線を介して記憶内容を直接的に書き換えることが可能になる。
【０００９】
また、他の発明は、上記発明に加えて、前記メモリはＬＡＮ信号線を介して記憶内容を間接的に書き換え可能とされていることを特徴とする。
このような構成によれば、外部機器に接続されるＬＡＮ信号線を利用して、メモリの記憶内容を間接的に書き換えることが可能になる。
【００１０】
また、他の発明は、上記発明に加えて、前記制御部は、通常の動作状態において前記検出部により前記メモリの記憶内容が書き換えられたことが検出された場合であっても、前記センタ側光回線終端装置から送信される光信号を検出したときは、前記連続発光状態への遷移を保留することを特徴とする。
このような構成によれば、センタに接続された状態で誤ってメモリの記憶内容が書き換えられた場合であっても、連続発光モードに遷移して、システムに影響が波及することを防止できる。
【００１１】
また、他の発明は、上記発明に加えて、前記制御部は、前記連続発光状態において前記センタ側光回線終端装置から送信される光信号を検出すると、前記連続発光状態を終了し、通常の動作状態に遷移する制御を行うことを特徴とする。
このような構成によれば、連続発光状態で動作している場合に、誤ってセンタに接続された場合であっても、連続光が光伝送路に送信され、システムに影響が波及することを防止できる。
【発明の効果】
【００１２】
本発明によれば、治具基板を用いないで評価モードに遷移させることが可能な加入者宅側光回線終端装置を提供することが可能となる。
【図面の簡単な説明】
【００１３】
【図１】本発明の実施形態に係るＰＯＮ型光伝送システムの構成例を示す図である。
【図２】本発明の第１実施形態に係るＯＮＵの構成例を示す図である。
【図３】第１実施形態のスイッチにおいて実行される処理の流れを説明するためのフローチャートである。
【図４】第１実施形態のＯＮＵにおいて通常モード時に実行される処理の流れを説明するためのフローチャートである。
【図５】第１実施形態のＯＮＵにおいて連続発光モード時に実行される処理の流れを説明するためのフローチャートである。
【図６】本発明の第２実施形態に係るＯＮＵの構成例を示す図である。
【図７】本発明の第３実施形態に係るＯＮＵの構成例を示す図である。
【図８】第３実施形態のスイッチにおいて実行される処理の流れを説明するためのフローチャートである。
【発明を実施するための形態】
【００１４】
次に、本発明の実施形態について説明する。
【００１５】
（Ａ）第１実施形態の構成の説明
図１は本発明の第１実施形態に係る加入者宅側光回線終端装置を含むＰＯＮ（Passive Optical Network）型光伝送システムの構成例を示す図である。この図に示すように、ＰＯＮ型光伝送システムは、センタ１、光ファイバ２（請求項中の「光伝送路」に対応）、光スプリッタ３（請求項中の「光伝送路」に対応）、光ファイバ４−１〜４−ｎ（請求項中の「光伝送路」に対応）、ＯＮＵ１０−１〜１０−ｎ（請求項中の「加入者宅側光回線終端装置」に対応）、電気信号線５（請求項中の「電気信号線」に対応）、スイッチ６（請求項中の「外部機器」に対応）、ケーブル８−１〜８−ｍ、および、端末機器９−１〜９−ｍを主要な構成要素としている。
【００１６】
ここで、センタ１は、ＯＬＴ（Optical Line Terminal（光回線終端装置））１ａ（請求項中の「センタ側光回線終端装置」に対応）および認証機能部１ｂを有しており、各ＯＮＵに対して送信しようとする情報を、例えば、ＴＤＭ（Time Division Multiplexing）によって多重化して送信する。ＯＬＴ１ａは、ＯＮＵ１０−１〜１０−ｎとの間で情報交換を行い、各ＯＮＵが所定の条件を満たしている場合には、ＰＯＮリンクを確立する。なお、ＯＬＴ１ａおよびＯＮＵ１０−１〜１０−ｎがＧＥ−ＰＯＮ（Gigabit Ethernet-PON）である場合には、このＰＯＮリンクの確立は、ＩＥＥＥ８０２．３ａｈの規格の手順に準ずることになる。認証機能部１ｂは、各ＯＮＵとＰＯＮリンクが確立された後に、各ＯＮＵにアクセスして認証データを取得し、ユーザの正当性に関する認証を行う。
【００１７】
センタ１から送信された下り方向の光信号は光ファイバ２を介して光スプリッタ３に入射されｎ（但し、ｎは自然数）の光信号に分岐され、光ファイバ４−１〜４−ｎを介してＯＮＵ１０−１〜１０−ｎにそれぞれ入射される。また、ＯＮＵ１０−１〜１０−ｎから送信された上り方向の光信号は、光ファイバ４−１〜４−ｎを介して光スプリッタ３に入射され、１の光信号に合成されて光ファイバ２を介してセンタ１に入射される。
【００１８】
ＯＮＵ１０−１〜１０−ｎは、サービス加入者の宅内または構内に設置され、これにスイッチ６等の外部機器が接続され、センタ１から光ファイバ２，４を介して送信された光信号を電気信号に変換し、電気信号線５を介してスイッチ６に供給する。また、ＯＮＵ１０−１〜１０−ｎは、スイッチ６から電気信号線５を供給された電気信号を光信号に変換してセンタ１に送信する。図１の例では、ＯＮＵ１０−１は、電気／光変換部１１、ＯＮＵ機能部１２、および、シリアル／パラレル変換部１３を有している。ＯＮＵ１０−１は、コネクタとしてのインタフェースモジュール１６がスイッチ６のインタフェーススロット６ａに接続され、電気信号線５を介して電気信号を授受する。
【００１９】
スイッチ６は、Ｌ２スイッチ、Ｌ３スイッチ、または、ルータ等によって構成され、複数のポート７−１〜７−ｍ（ｍは自然数）にはケーブル８−１〜８−ｍを介して複数の端末機器９−１〜９−ｍが接続される。スイッチ６は、ＯＮＵ１０−１から供給されたパケットをその送信先に応じてスイッチングし、対応するポートから出力するとともに、端末機器９−１〜９−ｍから出力されたパケットをＯＮＵ１０−１に対して供給する。端末機器９−１〜９−ｍは、例えば、パーソナルコンピュータ等によって構成される。
【００２０】
図２は、図１に示すＯＮＵ１０−１の詳細な構成例を示す図である。なお、ＯＮＵ１０−２〜１０−ｎについては、ＯＮＵ１０−１と同様の構成としてもよいし、これとは異なる構成としてもよい。なお、以下では、説明を簡略化するためにＯＮＵ１０−１をＯＮＵ１０として説明する。
【００２１】
図２に示すように、ＯＮＵ１０は、電気／光変換部１１（請求項中の「光送信部」に対応）、ＯＮＵ機能部１２、シリアル／パラレル変換部１３、検出部１４、ＣＰＵ（Central Processing Unit）１５（請求項中の「検出部」および「制御部」に対応）、および、メモリスイッチ１５ａを有している。
【００２２】
ここで、電気／光変換部１１は、センタ１から送信された光信号を電気信号（シリアル信号）に光電変換してＯＮＵ機能部１２に供給するとともに、ＯＮＵ機能部１２から供給される電気信号を光信号に逆光電変換してセンタ１に対して送信する。電気／光変換部１１とＯＮＵ機能部１２とは、シリアル信号線２１ａおよびシリアル信号線２１ｂによって接続されており、電気／光変換部１１から出力されるシリアル信号はシリアル信号線２１ａを介してＯＮＵ機能部１２に供給され、ＯＮＵ機能部１２から出力されるシリアル信号はシリアル信号線２１ｂを介して電気／光変換部１１に供給される。
【００２３】
ＯＮＵ機能部１２は、電気／光変換部１１からシリアル信号線２１ａを介して入力したシリアル信号をパラレル信号に変換し、終端処理を行った後に、パラレル信号線２２ａを介してシリアル／パラレル変換部１３に供給し、また、シリアル／パラレル変換部１３からパラレル信号線２２ｂを介して供給されるパラレル信号を終端処理を行った後に、シリアル信号に変換し、シリアル信号線２１ｂを介して電気／光変換部１１に供給する。
【００２４】
シリアル／パラレル変換部１３は、ＯＮＵ機能部１２からパラレル信号線２２ａを介して入力したパラレル信号をシリアル信号に変換した後、シリアル信号線２３ａを介してインタフェースモジュール１６の主信号端子１６ａに対して出力するとともに、インタフェースモジュール１６の主信号端子１６ａから入力されたシリアル信号をシリアル信号線２３ｂを介して入力し、パラレル信号に変換した後、パラレル信号線２２ｂを介してＯＮＵ機能部１２に供給する。
【００２５】
検出部１４は、電気／光変換部１１によって、センタ１からの光信号が受信された場合には信号線２４を介してこれを検出し、信号線２５を介してＣＰＵ１５に通知する。
【００２６】
ＣＰＵ１５は、図示しない不揮発性メモリに格納されているプログラムおよびデータに基づいてＯＮＵ機能部１２を制御する。ＣＰＵ１５は、シリアル信号（例えば、ＲＳ−２３２Ｃに準拠した信号）を伝送するシリアル信号線２６ａ，２６ｂによってＯＮＵ機能部１２と接続され、ＯＮＵ機能部１２とデータの授受を行うことが可能とされている。また、ＣＰＵ１５は、シリアル信号（例えば、Ｉ２Ｃ（Inter-Integrated Circuit）（（2-Wire Serial Interface）または（2-Wire Serial Bus）））を伝送するシリアル信号線２７ａ，２７ｂによってインタフェースモジュール１６の主信号端子１６ａに接続されている。さらに、ＣＰＵ１５は、検出部１４が光信号を受信したことを、信号線２５を介して通知を受ける。
【００２７】
メモリスイッチ１５ａは、例えば、少なくとも１ビットのメモリによって構成される論理スイッチであり、このメモリスイッチ１５ａが書き換えられることにより、ＯＮＵ１０の動作モードが変更される。なお、図２の例では、メモリスイッチ１５ａは、ＣＰＵ１５とは独立した構成としたが、これらを一体の構成（メモリスイッチ１５ａがＣＰＵ１５に含まれる構成）としてもよい。
【００２８】
インタフェースモジュール１６は、シリアル信号によってスイッチ６との間でデータを送受信するとともに、図示しない電源線を介してスイッチ６から電源の供給を受ける。本実施形態のＯＮＵ１０では、インタフェースモジュール１６をＭＳＡ（Multi-Source Agreement）インタフェースの規格に準拠しており、スイッチ６に設けられたＭＳＡインタフェーススロット６ａに直接挿入して接続することが可能な構成としている。ＭＳＡインタフェースの規格として、ＧＢＩＣ、ＳＦＰ等があり、これらのいずれを使用してもよい。なお、説明を簡略化するために、図２では、ＭＳＡインタフェースの端子のみを図示してある。
【００２９】
（Ｂ）第１実施形態の動作の説明
つぎに、第１実施形態の動作について説明する。図３〜図５は、第１実施形態において実行される処理の一例を説明するためのフローチャートである。まず、これらの処理の概略について説明する。例えば、保守時において、ＯＮＵ１０が正常に動作しているか否かを判断する場合には、光ファイバ４−１をＯＮＵ１０から外し、いずれかの端末機器を操作し、スイッチ６に対して、ＯＮＵ１０のメモリスイッチ１５ａをセットするように指示する。スイッチ６は、ＯＮＵ１０にアクセスし、メモリスイッチ１５ａをセットする。メモリスイッチ１５ａがセットされると、ＣＰＵ１５は、ＯＮＵ機能部１２に対してコマンドを供給し、動作モードを通常モードから連続発光モードに遷移させる。この結果、電気／光変換部１１は、送信光を連続して出力する連続発光モードに遷移するので、出力される光信号の強度等を計測することで、ＯＮＵ１０が正常か否かを判定することができる。なお、メモリスイッチ１５ａがリセットされた場合には、通常モードに再び遷移する。また、メモリスイッチ１５ａがセットされた状態で、センタ１から光信号を受信した場合に、連続光によってシステムが影響を受けることを防止するために、検出部１４によってセンタ１からの光信号を検出した場合には、強制的に通常モードに遷移する。
【００３０】
図３は、メモリスイッチ１５ａをセット（またはリセット）する場合に、スイッチ６において実行される処理の一例を示す図である。なお、この処理は、例えば、端末機器から指示がなされた場合に実行される。このフローチャートの処理が開始されると、以下のステップが実行される。
【００３１】
ステップＳ１０：スイッチ６は、シリアル信号線２７ａ，２７ｂを介して、ＣＰＵ１５に対して通信の開始を示すスタートコンディションを出力する。より詳細には、スイッチ６は、Ｉ２Ｃ通信のマスタとして動作し、ＣＰＵ１５はスレーブとして動作する。Ｉ２Ｃ通信では、通信を開始する際には、マスタが、クロック信号であるＳＣＬ（Serial Clock）がｈｉｇｈの場合に、データ信号であるＳＤＡ（Serial Data）をｌｏｗにしたときにスタートコンディションとされる。
【００３２】
ステップＳ１１：スイッチ６は、ＣＰＵ１５を通信相手として指定するとともに、マスタからスレーブにデータを送信することを示すデータを、ＣＰＵ１５に対して送信する。より詳細には、Ｉ２Ｃ通信ではスレーブを指定するアドレスとしては７ビットまたは１０ビットが用いられ、また、マスタが送信または受信を示す１ビットの情報（ＲＷ）が用いられる。そこで、スイッチ６は、ＣＰＵ１５に付与されたアドレスとともに、マスタが送信を示す情報をシリアル信号線２７ａ，２７ｂに対して送出する。なお、ＣＰＵ１５は、データを正常に受信した場合には、ＡＣＫ（Acknowledge）信号を送信するので、スイッチ６は通信が正常に行われたことを認識する。
【００３３】
ステップＳ１２：スイッチ６は、メモリスイッチ１５ａをセットすることを指示するデータ（または、リセットすることを指示するデータ）をＣＰＵ１５に対して送信する。より詳細には、スイッチ６は、例えば、メモリスイッチ１５ａをセット（またはリセット）することを要求する８ビットのデータを、ＣＰＵ１５に対して送信する。なお、ＣＰＵ１５がデータを正常に受信した場合に、ＡＣＫ信号を送信するのは前述の場合と同様である。データを受信すると、ＣＰＵ１５は、メモリスイッチ１５ａをセット（またはリセット）する。すなわち、スイッチ６は、ＣＰＵ１５を介して、メモリスイッチ１５ａの内容を間接的に書き換えることができる。
【００３４】
ステップＳ１３：スイッチ６は、シリアル信号線２７ａ，２７ｂを介して、ＣＰＵ１５に対して通信の終了を示すストップコンディションを出力する。より詳細には、Ｉ２Ｃ通信では、通信を終了する際には、マスタがＳＣＬをｌｏｗにしてクロックを停止してからｈｉｇｈにし、ＳＤＡをｈｉｇｈにすることでストップコンディションとされる。
【００３５】
以上の処理により、スイッチ６がシリアル信号線２７ａ，２７ｂを介してＣＰＵ１５にアクセスし、メモリスイッチ１５ａをセットまたはリセットすることができる。
【００３６】
つぎに、図４，５を参照して、ＯＮＵ１０において実行される処理について説明する。まず、図４は、通常モードにおいて実行される処理の流れを説明するフローチャートである。このフローチャートの処理が実行されると、以下のステップが実行される。
【００３７】
ステップＳ３０：ＣＰＵ１５は、メモリスイッチ１５ａがセットされたか否か（リセットからセットに状態変化したか否か）を判定し、セットされた場合（ステップＳ３０：Ｙｅｓ）にはステップＳ３１に進み、それ以外の場合（ステップＳ３０：Ｎｏ）には同様の処理を繰り返す（待ち状態となる）。なお、通常モードとは、センタ１との間で光信号による通信を行う動作モードであり、連続発光モードとは、ＯＮＵ１０が正常であるか否かを判定するために、電気／光変換部１１を連続して発光する状態とする動作モードである。例えば、通常モードにおいて、図３の処理によってメモリスイッチ１５ａがセットされた場合にはＹｅｓと判定されてステップＳ３１に進む。
【００３８】
ステップＳ３１：ＣＰＵ１５は、検出部１４からの検出信号を参照し、受信光を検出したか否かを判定し、受信光を検出した場合（ステップＳ３１：Ｙｅｓ）にはステップＳ３２に進み、受信光を検出していない場合（ステップＳ３１：Ｎｏ）にはステップＳ３３に進む。
【００３９】
ステップＳ３２：ＣＰＵ１５は、メモリスイッチ１５ａをリセットし、ステップＳ３０に戻って前述の場合と同様の処理を繰り返す。なお、ステップＳ３１およびステップＳ３２の処理は、例えば、ＯＮＵ１０に光ファイバ４−１が接続された状態で、誤ってメモリスイッチ１５ａがセットされた場合、連続発光状態となって他のＯＮＵが通信不能の状態となってしまう。すなわち、ＯＮＵ１０−１〜１０−ｎからセンタ１への上り方向については、例えば、ＴＤＭＡ（Time Division Multiple Access）によって通信が行われており、各ＯＮＵは自己に割り当てられた時間帯しか通信ができない。このため、センタ１と接続された状態で、ＯＮＵ１０が連続発光モードになってしまうと、システム全体で通信不能となるため、連続発光モードへの遷移を保留させるためである。
【００４０】
ステップＳ３３：ＣＰＵ１５は、ＯＮＵ機能部１２に対して通常モードから連続発光モードへ遷移させるためのモード変更コマンドをシリアル信号線２６ｂを介して発行する。
【００４１】
ステップＳ３４：ＯＮＵ機能部１２は、ＣＰＵ１５から発行されたモード変更コマンドに基づいて、電気／光変換部１１のレーザダイオード（不図示）を連続して発光させる連続発光モードへ遷移させる。
【００４２】
以上の処理により、図３に示す処理により、メモリスイッチ１５ａがセットされた場合には、通常モードから連続発光モードに遷移し、電気／光変換部１１のレーザダイオードが連続して発光される。これにより、測定器によって、連続光の強度を測定したり、連続光のスペクトラムを測定したりすることができる。また、センタ１と接続された状態で、メモリスイッチ１５ａが誤ってセットされた場合には、連続発光モードへ遷移することが保留されるとともに、メモリスイッチ１５ａがリセットされる。これにより、システムに対して連続光送信による影響が及ぶことを防止できる。
【００４３】
つぎに、図５は、連続発光モードにおいて実行される処理の流れを説明するフローチャートである。このフローチャートの処理が実行されると、以下のステップが実行される。
【００４４】
ステップＳ４０：ＣＰＵ１５は、検出部１４からの検出信号を参照し、センタ１からの受信光を検出したか否かを判定し、受信光を検出した場合（ステップＳ４０：Ｙｅｓ）にはステップＳ４２に進み、受信光を検出していない場合（ステップＳ４０：Ｎｏ）にはステップＳ４１に進む。
【００４５】
ステップＳ４１：ＣＰＵ１５は、メモリスイッチ１５ａがリセットされたか否か（セットからリセットに状態変化したか否か）を判定し、リセットされたと判定した場合（ステップＳ４１：Ｙｅｓ）にはステップＳ４３に進み、リセットされていないと判定した場合（ステップＳ４１：Ｎｏ）にはステップＳ４０に戻って前述の場合と同様の処理を繰り返す。例えば、連続発光モードにおいて、スイッチ６からアクセスされ、図３と同様の処理により、メモリスイッチ１５ａがリセットされた場合には、Ｙｅｓと判定してステップＳ４３に進む。
【００４６】
ステップＳ４２：ＣＰＵ１５は、メモリスイッチ１５ａをリセットする。
【００４７】
ステップＳ４３：ＣＰＵ１５は、連続発光モードから通常モードへ遷移させるためのモード変更コマンドをシリアル信号線２６ｂを介してＯＮＵ機能部１２に発行する。
【００４８】
ステップＳ４４：ＯＮＵ機能部１２は、ＣＰＵ１５から発行されたモード変更コマンドに基づいて、電気／光変換部１１のレーザダイオードの連続発光を停止させ、センタ１との通信が可能な通常モードへ遷移する。
【００４９】
以上の処理により、図３に示す処理により、メモリスイッチ１５ａがリセットされた場合には、連続発光モードから通常モードに遷移し、電気／光変換部１１のレーザダイオードの連続発光が停止され、センタ１との通信可能な通常モードに動作モードが変更される。また、連続発光モードにある場合に、誤ってセンタ１と接続されたときは、連続発光が停止されるとともに、メモリスイッチ１５ａがリセットされる。これにより、システムに対して連続光送信による影響が及ぶことを防止できる。
【００５０】
以上に説明したように、本発明の第１実施形態によれば、スイッチ６によってメモリスイッチ１５ａをセットすることで、評価モードである連続発光モードに遷移するようにしたので、特殊な治具基板を用いることなく、連続発光モードに遷移させることができる。また、その際、既存のシリアル信号線２７ａ，２７ｂを活用することで、新たな端子等を増設する必要がなくなる。また、センタ１と接続された状態で、メモリスイッチ１５ａが誤ってセットされた場合には、連続発光モードへ遷移することが保留されるので連続光送信による影響がシステムに波及することを防止できる。さらに、連続発光モードにある場合に、誤ってセンタ１と接続されたときは、連続発光が停止されるので、同様に、連続光送信による影響がシステムに波及することを防止できる。
【００５１】
（Ｃ）第２実施形態の構成の説明
つぎに、図６を参照して、第２実施形態について説明する。なお、図６において、図２と対応する部分には同一の符号を付してその説明を省略する。図６に示す第２実施形態に係るＯＮＵ１０Ａでは、図２の場合と比較して、ＣＰＵ１５が状態監視部３０（請求項中の「検出部」および「制御部」に対応）に置換され、メモリスイッチ１５ａがメモリ３１（請求項中の「メモリ」に対応）に置換されるとともに、シリアル信号線２７ａ，２７ｂがメモリ３１に接続されている。なお、それ以外の構成は、図２の場合と同様である。
【００５２】
ここで、状態監視部３０は、メモリ３１の所定のアドレスに格納されているビットの状態を監視し、メモリ３１のビットの状態が変化した場合には、ＯＮＵ機能部１２に対して動作モードを遷移させるためのモード変更コマンドを発行し、動作モードを変更させる。
【００５３】
メモリ３１は、Ｉ２Ｃによって通信可能なメモリによって構成される。具体的には、メモリ３１は、例えば、デュアルポートのメモリであり、スイッチ６と状態監視部３０の双方によって情報の読み書きが可能とされている。
【００５４】
（Ｄ）第２実施形態の動作の説明
第２実施形態では、スイッチ６がメモリ３１に直接アクセスして、メモリスイッチに設定されている所定のアドレスのビットを変更する点が異なっている以外は、図２に示す第１実施形態の場合と同様である。すなわち、スイッチ６において図３に示す処理が実行され、Ｉ２Ｃ規格に準拠したシリアル信号線２７ａ，２７ｂを介してメモリ３１の所定のアドレスがセットまたはリセットされる。また、図４，５に示す処理が実行されて、通常モードと連続発光モードの間で動作モードが遷移される。
【００５５】
第２実施形態によれば、第１実施形態の場合と同様に、特殊な治具基板を用いることなく、ＯＮＵ１０を連続発光モードに遷移させることができる。また、連続発光モードにある場合に誤って光ファイバ４−１が接続されたときには通常モードへ強制的に遷移させるとともに、センタ１に接続されている場合にメモリ３１がセットされたときは、連続発光モードへの遷移が保留されるので、連続光送信によって、システム全体に影響が波及することを防止できる。また、メモリ３１を直接書き換えるようにしたので、ＣＰＵ１５の負荷を軽減することができる。
【００５６】
（Ｅ）第３実施形態の構成の説明
つぎに、第３実施形態について説明する。図７は、第３実施形態の構成例を示すブロック図である。なお、図７において、図２に示す第１実施形態と対応する部分には、同一の符号を付してその説明を省略する。図７に示す第３実施形態に係るＯＮＵ１０Ｂでは、図２の場合と比較すると、シリアル／パラレル変換部１３が除外され、Ｌ２スイッチ４０およびトランス４１が付加されている。また、ＭＳＡインタフェース規格に準拠したインタフェースモジュール１６がイーサネット（登録商標）の規格に準拠したインタフェースモジュール５０に置換されている。また、インタフェースモジュール５０の主信号端子５０ａとトランス４１とはイーサネット信号を伝送する信号線４４ａ，４４ｂによって接続され、トランス４１とＬ２スイッチ４０とは同様にイーサネット信号を伝送する信号線４３ａ，４３ｂによって接続される。Ｌ２スイッチ４０とＯＮＵ機能部１２およびＬ２スイッチ４０とＣＰＵ１５とは、例えば、ＭＩＩ（Media Independent Interface）またはＧＭＩＩ（Gigabit MII）に準拠した信号線４２ａ，４２ｂ，４５ａ，４５ｂによって接続されている。
【００５７】
なお、第３実施形態では、図１において、ＯＮＵ１０とスイッチ６とは、ＯＮＵ１０が有するイーサネットの規格に準拠したインタフェースモジュール５０と、スイッチ６が有するインタフェースモジュール６ｂとが、ＬＡＮケーブル５ａによって接続される。
【００５８】
ここで、トランス４１は、信号に含まれている直流成分を除去するための直流カットトランスである。Ｌ２スイッチ４０は、パケットに宛先情報として含まれるアドレスを参照し、パケットの転送先を判断して転送を行なう機能を有する。具体的には、スイッチ６から送信されたパケットについては、そのアドレスに応じてパケットの転送先をＣＰＵ１５またはＯＮＵ機能部１２から選択する。
【００５９】
（Ｆ）第３実施形態の動作の説明
図８は、図７に示す第３実施形態において、メモリスイッチ１５ａをセットまたはリセットする際に、スイッチ６において実行される処理の流れを説明するためのフローチャートである。この処理のフローチャートが開始されると以下のステップが実行される。
【００６０】
ステップＳ５０：スイッチ６は、ＯＮＵ１０のＣＰＵ１５に対してＴＣＰ（Transmission Control Protocol）コネクションの確立要求を行う。すなわち、スイッチ６は、ＣＰＵ１５に付与されたＩＰ（Internet Protocol）アドレスを送信先とする情報（パケット）を送信する。ＯＮＵ１０のＬ２スイッチ４０はパケットに含まれているＩＰアドレスを参照し、受信したパケットを、ＣＰＵ１５に転送する。この結果、ＣＰＵ１５は、スイッチ６からのコネクションの確立要求を受信する。
【００６１】
ステップＳ５１：ＣＰＵ１５はステップＳ５０におけるコネクションの確立要求に応答を行い、つづいて、スイッチ６はＣＰＵ１５に対して確認応答を行い、これによりスイッチ６とＣＰＵ１５との間でＴＣＰコネクションが確立される。
【００６２】
ステップＳ５２：スイッチ６は、メモリスイッチ１５ａの書き換えを要求する情報をＣＰＵ１５に対して送信する。具体的には、スイッチ６は、メモリスイッチ１５ａをセットすることを指示する情報（または、リセットすることを指示する情報）をＣＰＵ１５に対して送信する。この結果、ＣＰＵ１５は、メモリスイッチ１５ａをセット（またはリセット）する。
【００６３】
ステップＳ５３：スイッチ６は、ＣＰＵ１５に対してメモリスイッチ１５ａの書き換えが完了したか否かを問い合わせ、完了した場合にはステップＳ５４に進み、それ以外の場合には同様の処理を繰り返す。
【００６４】
ステップＳ５４：スイッチ６は、ＣＰＵ１５に対してＴＣＰコネクションの解放要求を行う。具体的には、スイッチ６は、ＣＰＵ１５に対して送信終了を通知し、つづいて、ＣＰＵ１５はスイッチ６に対して送信終了の了解を通知する。そして、スイッチ６は、ＣＰＵ１５に対して送信終了の了解を行い、ＴＣＰコネクションが解放される。
【００６５】
なお、ＯＮＵ１０において実行される処理は、図４，５の場合と同様であり、メモリスイッチ１５ａの状態と、受信光の受信状態に応じて、動作モードが変更される。
【００６６】
以上に説明したように、本発明の第３実施形態によれば、イーサネットを介して動作モードを変更できるので、治具基板を用いないでＯＮＵ１０を評価モードに遷移させることが可能になる。また、連続発光モードにある場合に誤って光ファイバ４−１が接続されたときには通常モードへ強制的に遷移させるとともに、センタ１に接続されている場合にメモリ３１の所定のアドレスがセットされたときは、連続発光モードへの遷移が保留されるので、連続光送信によって、システム全体に影響が波及することを防止できる。
【００６７】
（Ｇ）変形実施形態
なお、上記の各実施形態は、一例であって、これ以外にも各種の変形実施態様が存在する。例えば、以上の第１および第３実施形態では、メモリスイッチ１５ａは、ＣＰＵ１５とは独立した構成としたが、メモリスイッチ１５ａがＣＰＵ１５に含まれる構成とすることも可能である。
【００６８】
また、以上の各実施形態では、端末機器から要求がなされた場合に、図３または図８に示す処理がスイッチ６において実行されるようにしたが、例えば、ＯＮＵ１０がスイッチ６に接続された状態において、スイッチ６に対して所定の操作がなされた場合に、図３または図８に示す処理が実行されるようにしてもよい。あるいは、ＯＮＵ１０がスイッチ６に接続されると、図３または図８に示す処理がスイッチ６において自動的に実行され、一定期間（例えば、１分間）連続発光モードに遷移した後、通常モードに遷移するようにしてもよい。なお、その場合、連続発光モードに遷移した状態で、センタ１と接続される場合も想定されるが、そのような場合には図５の処理によって通常モードに強制的に遷移されるので、システム全体に影響が波及することが防止できる。
【００６９】
また、第２実施形態では、メモリ３１をデュアルポートメモリとすることで、状態監視部３０とスイッチ６の双方がメモリ３１にアクセスできるようにしたが、例えば、状態監視部３０およびスイッチ６の双方がマスタとして動作可能なマルチマスタ方式を採用する方法であっても、メモリ３１に対して双方からアクセスすることが可能となる。
【符号の説明】
【００７０】
１  センタ
１ａ  ＯＬＴ（センタ側光回線終端装置）
１ｂ  認証機能部
２，４  光ファイバ（光伝送路）
３  光スプリッタ（光伝送路）
５  電気信号線
５ａ  ＬＡＮケーブル
６  スイッチ（外部機器）
９  端末装置
１０，１０Ａ，１０Ｂ  ＯＮＵ（加入者宅側光回線終端装置）
１１  電気／光変換部
１２  ＯＮＵ機能部
１３  シリアル／パラレル変換部（光送信部）
１４  検出部
１５  ＣＰＵ（検出部、制御部）
１５ａ  メモリスイッチ（メモリ）
１６  インタフェースモジュール
３０  状態監視部（検出部、制御部）
３１  メモリ（メモリ）
４０  Ｌ２スイッチ
４１  トランス
５０  インタフェースモジュール
【図１】
0005144735.tif 000002
【図２】
0005144735.tif 000003
【図３】
0005144735.tif 000004
【図４】
0005144735.tif 000005
【図５】
0005144735.tif 000006
【図６】
0005144735.tif 000007
【図７】
0005144735.tif 000008
【図８】
0005144735.tif 000009